(57)【要約】【課題】メモリー性液晶等の電気光学材料を用いた場合であっても、環境温度にかかわらず、一定のコントラストが得られる電気光学パネル、電気光学パネルの駆動方法、電気光学装置、および電子機器をそれぞれ提供する。【解決手段】画像が表示される画像表示部を有する回路基板と、当該回路基板上であって画像表示部に設けられた配線パターンと、を含む電気光学パネル、電気光学パネルの駆動方法、電気光学装置、および電子機器であって、配線パターンと電気的に接続された駆動用ＩＣを具備し、当該駆動用ＩＣの内部には、画像表示部の温度を検知するための温度検知部を含む温度補償素子が備えてあり、温度補償素子は、温度検知部によって検知された温度情報に基づいて、駆動用ＩＣからの信号の印加電圧または印加時間を変化させる。【選択図】  図１
2004219933.tif 000002
【特許請求の範囲】
【請求項１】
画像が表示される画像表示部を有する回路基板と、当該回路基板上であって前記画像表示部に設けられた配線パターンと、を含む電気光学パネルにおいて、
前記配線パターンと電気的に接続された駆動用ＩＣを具備し、
当該駆動用ＩＣの内部には、前記画像表示部の温度を検知するための温度検知部を含む温度補償素子が備えてあることを特徴とする電気光学パネル。
【請求項２】
前記温度補償素子は、前記温度検知部によって検知された温度情報に基づいて、前記駆動用ＩＣからの信号の印加電圧または印加時間、あるいはそれら両方の因子を変化させるための駆動回路を備えること特徴とする請求項１に記載の電気光学パネル。
【請求項３】
前記温度補償素子は、前記温度検知部を複数含むとともに、前記複数の温度検知部によって検知された複数の温度情報に関する数値を平均化した数値に基づいて、前記駆動用ＩＣからの信号の印加電圧または印加時間、あるいはそれら両方の因子を変化させるための駆動回路を備えることを特徴とする請求項１または２に記載の電気光学パネル。
【請求項４】
前記温度検知部が、温度依存性抵抗またはサーミスタを含んでおり、当該温度依存性抵抗またはサーミスタにおける抵抗値の変化によって、前記画像表示部の温度を検知することを特徴とする請求項１〜３のいずれか一項に記載の電気光学パネル。
【請求項５】
前記温度検知部が、前記駆動用ＩＣの一つ以上の角部に設けてあることを特徴とする請求項１〜４のいずれか一項に記載の電気光学パネル。
【請求項６】
前記駆動用ＩＣが、前記回路基板に直接的に電気接続されていることを特徴とする請求項１〜５のいずれか一項に記載の電気光学パネル。
【請求項７】
前記駆動用ＩＣが、前記回路基板にフレキシブル基板を介して、電気接続されているとともに、当該フレキシブル基板の一部に、スルーホールが設けてあり、当該スルーホールを介して、前記回路基板の温度を前記温度検知部が検知することを特徴とする請求項１〜５のいずれか一項に記載の電気光学パネル。
【請求項８】
前記温度検知部によって検知された温度情報をもとに、前記電気光学パネルに警告表示を行うことを特徴とする請求項１〜７のいずれか一項に記載の電気光学パネル。
【請求項９】
画像が表示される画像表示部を有する回路基板と、当該回路基板上であって前記画像表示部に設けられた配線パターンと、を含む電気光学パネルの駆動方法において、
前記配線パターンと電気的に接続された駆動用ＩＣを具備し、
当該駆動用ＩＣの内部には、前記画像表示部の温度を検知するための温度検知部を含む温度補償素子が備えてあり、
当該温度補償素子は、前記温度検知部によって検知された温度情報に基づいて前記駆動用ＩＣからの信号の印加電圧または印加時間、あるいはそれら両方の因子を変化させること特徴とする電気光学パネルの駆動方法。
【請求項１０】
画像が表示される画像表示部を有する回路基板と、当該回路基板上であって前記画像表示部に設けられた配線パターンと、を含む電気光学パネルを備えた電気光学装置において、
前記配線パターンと電気的に接続された駆動用ＩＣを具備し、当該駆動用ＩＣの内部に、前記画像表示部の温度を検知するための温度検知部を含む温度補償素子が備えてある電気光学パネルを含むことを特徴とする電気光学装置。
【請求項１１】
請求項１０に記載された電気光学装置と、当該電気光学装置を制御するための制御手段と、を備えることを特徴とする電子機器。
【発明の詳細な説明】
【０００１】
【発明の属する技術分野】
本発明は、電気光学パネル、電気光学パネルの駆動方法、電気光学装置、および電子機器に関する。特に、メモリー性液晶等の電気光学材料を用いた場合であっても、環境温度（周囲温度）にかかわらず、画像表示において、一定のコントラストが得られる電気光学パネル、そのような電気光学パネルの駆動方法、そのような電気光学パネルを含む電気光学装置、および当該電気光学装置を含む電子機器に関する。
【０００２】
【従来の技術】
近年、強誘電性液晶（ＦＬＣ）、反強誘電性液晶（ＡＦＬＣ）、双安定型ツイステッドネマチック液晶（ＢＴＮ）といったメモリー性液晶等の電気光学材料を用いた光学表示装置が注目されている。これらの光学表示装置は、そのメモリー性により、大容量表示や低消費電力化が可能であるという利点を有していた。
このような従来の光学表示装置としては、例えば、図１３に示されるように、電気光学パネル４００と、その端部に電気接続された、特定のフレキシブル基板４２８と、を有する電気光学ユニット４０２が提案されている（例えば、特許文献１参照）。
より具体的には、フレキシブル基板４２８は、その表面に形成された表面側端子４８１と、裏面側に形成された裏面側端子と、これら表面側端子および裏面側端子を電気的に接続するためのスルーホールと、を備えており、さらに、裏面側端子は、電気光学パネル４００のパネル側端子に対して異方性導電膜によって電気的に接続され、表面側端子は、電子部品４９１が電気的に接続されている電気光学ユニット４０２が提案されている。
【０００３】
【特許文献１】
特開２０００−１４００１６号  （第４−５頁、図４）
【０００４】
【発明が解決しようとする課題】
しかしながら、特許文献１に開示された電気光学ユニットによれば、温度補償装置に何ら言及されていないために、環境温度が変化した場合に、電気光学材料の特性、例えば、分極特性、チルト角、誘電異方性等が変化して、得られる画像特性におけるコントラストが低下しやすいという問題点が見られた。
また、特許文献１に開示された電気光学ユニットにおいては、環境温度が所定温度以上の異常域に達した場合であっても、表示動作を続けるため、電気光学ユニットが破壊されやすいという問題も見られた。
【０００５】
もちろん、これらの画像特性に対する温度補償を実施するために、電気光学ユニットの一部に、温度検知部（温度センサ）や温度補償回路、あるいは異常温度検出回路等を導入する提案が種々なされている。すなわち、電気光学ユニットの画像表示部の周辺に、サーミスタ等の温度検知部を設け、それによって検知された温度をもとに、画像表示部の温度補償を実施しようとするものである。
しかしながら、電気光学ユニットにおける温度検知部を、表示画素の近傍に配置しようとすると、設定場所や配線上、画素電極の面積を低下させなければならず、また、画素構造が複雑になりやすいという問題が見られた。そこで、電気光学ユニットにおける温度検知部を、画像表示手段から離れた外部に設けようとすると、温度検知部と、実際に環境温度の影響を受ける画像表示手段との距離が離れているため、温度補償が十分かつ迅速になされなかったり、駆動制御回路等を設置するための特定場所が必要になったり、さらには、製造コストが高くなったりするという問題点が見られた。
【０００６】
したがって、本発明は、このような問題点を解決するためになされたものであり、環境温度の影響を受けて、画像特性におけるコントラストが低下しやすい場合であっても、簡単な構造で、十分かつ迅速な温度補償を行うことのできる電気光学パネル、電気光学パネルの駆動方法、電気光学装置、および電子機器をそれぞれ提供することを目的とする。
【０００７】
【課題を解決するための手段】
本発明によれば、画像が表示される画像表示部を有する回路基板と、当該回路基板上であって画像表示部に設けられた配線パターンと、を含む電気光学パネルにおいて、配線パターンと電気的に接続された駆動用ＩＣを具備し、当該駆動用ＩＣの内部には、画像表示部の温度を検地するための温度検知部を含む温度補償素子が備えてある電気光学パネルが提供され、上述した問題点を解決することができる。
すなわち、このように構成することにより、画像表示部に近接した駆動用ＩＣ内に、温度検知部を含む温度補償素子が備えてあるため、環境温度の影響を受ける画像表示部に対して、十分かつ迅速な温度補償を施すことができる。
また、駆動用ＩＣ内に、温度検知部を含む温度補償回路が備えてあるため、温度検知部と、温度補償回路との間の電気接続が容易になって、特定の設置場所や配線方法をとらずに、低コストで、画像表示部に対して十分な温度補償を施すことができる。
さらに、温度検知部を含む温度補償素子を、駆動用ＩＣを製造する際に、同時に組み込むことができるため、コスト上昇についても効果的に抑制することができる。
【０００８】
また、本発明の電気光学パネルを構成するにあたり、温度補償素子は、温度検知部によって検知された温度情報に基づいて、駆動用ＩＣからの信号の印加電圧または印加時間、あるいはそれら両方の因子を変化させることが好ましい。
このように構成することにより、画像表示部の温度を精度良く測定することができ、また、当該温度情報をもとに、印加電圧または印加時間、あるいは両方の因子を変化させることにより、画像表示のコントラストを容易に制御することができる。
【０００９】
また、本発明の電気光学パネルを構成するにあたり、温度補償素子は、温度検知部を複数含むとともに、複数の温度検知部によって検知された複数の温度情報に関する数値を平均化した数値に基づいて、前記駆動用ＩＣからの信号の印加電圧または印加時間、あるいはそれら両方の因子を変化させることが好ましい。
このように構成することにより、画像表示部の温度に多少のばらつきがあったとしても、温度の平均値をもとに温度補償するため、画像表示全体としては、コントラストをより好適に制御することができる。
【００１０】
また、本発明の電気光学パネルを構成するにあたり、温度検知部が、温度依存性抵抗またはサーミスタを含んでおり、当該温度依存性抵抗またはサーミスタにおける抵抗値の変化によって、画像表示部の温度を検知することが好ましい。
このように構成することにより、簡易な構成の温度検知部を提供することができる。したがって、温度検知部を備えない場合と比較して、駆動用ＩＣの大きさや内部回路配置を大きく変えることが無く、コンパクトな温度検知部を含む温度補償素子を提供することができる。
【００１１】
また、本発明の電気光学パネルを構成するにあたり、温度検知部が、駆動用ＩＣの一つ以上の角部に設けられていることが好ましい。
このように構成することにより、温度検知部を備えない場合と比較して、駆動用ＩＣの大きさや内部回路配置を大きく変えることが無く、コンパクトな温度検知部を含む温度補償素子を提供することができる。
【００１２】
また、本発明の電気光学パネルを構成するにあたり、駆動用ＩＣが、回路基板に直接的に電気接続されていることが好ましい。
このように構成することにより、温度検知部が、回路基板の温度を直接的に検知することができる。したがって、環境温度の影響を受ける画像表示部に対して、十分かつ迅速な温度補償を施すことができる。
【００１３】
また、本発明の電気光学パネルを構成するにあたり、駆動用ＩＣが、回路基板にフレキシブル基板を介して、電気接続されているともに、当該フレキシブル基板の一部に、スルーホールが設けてあり、当該スルーホールを介して、回路基板の温度を温度検知部が検知することが好ましい。
このように構成することにより、温度検知部が、スルーホールを介して、回路基板の温度を実質的に直接かつ迅速に検知することができる。したがって、環境温度の影響を受ける画像表示部に対して、十分かつ迅速な温度補償を施すことができる。
なお、駆動用ＩＣが、回路基板にフレキシブル基板を介して、電気接続されているため、回路基板に電気接続する前に、駆動用ＩＣの誤動作検査ならびに、温度補償機能を有効に発揮できるか否かの検査を容易に実施することができる。
【００１４】
また、本発明の電気光学パネルを構成するにあたり、温度検知部によって検知された温度情報をもとに、電気光学パネルに警告表示を行うことが好ましい。
すなわち、このように構成することにより、環境温度が変化して、コントラストの変化が大きいことを、目視にて確認することができる。また、その警告表示に対応して、電気光学パネルの使用を中止することもでき、電気光学パネルの寿命を長期化させることもできる。
【００１５】
また、本発明の別の態様は、画像が表示される画像表示部を有する回路基板と、当該回路基板上であって画像表示部に設けられた配線パターンと、を含む電気光学パネルの駆動方法において、配線パターンと電気的に接続された駆動用ＩＣを具備し、当該駆動用ＩＣの内部には、画像表示部の温度を検知するための温度検知部を含む温度補償素子が備えてあり、当該温度補償素子は、温度検知部によって検知された温度情報に基づいて駆動用ＩＣからの信号の印加電圧または印加時間、あるいはそれら両方の因子を変化させること特徴とする電気光学パネルの駆動方法である。
すなわち、このように実施することにより、環境温度が多少変化したとしても、コントラストの変化が少ない画像表示を、容易かつ迅速に得ることができる。
【００１６】
なお、本発明の電気光学パネルの駆動方法を実施するにあたり、温度補償素子が、温度検知部を複数含むとともに、複数の温度検知部によって検知された複数の温度情報に関する数値を平均化した数値に基づいて、駆動用ＩＣからの信号の印加電圧または印加時間、あるいはそれら両方の因子を変化させるための駆動回路を備えることが好ましい。
また、本発明の電気光学パネルの駆動方法を実施するにあたり、温度検知部が、温度依存性抵抗またはサーミスタを含んでおり、当該温度依存性抵抗またはサーミスタにおける抵抗値の変化によって、画像表示部の温度を検知することが好ましい。
また、本発明の電気光学パネルの駆動方法を実施するにあたり、温度検知部が、駆動用ＩＣの一つ以上の角部に設けてあることが好ましい。
また、本発明の電気光学パネルの駆動方法を実施するにあたり、温度検知部によって検知された温度情報をもとに、電気光学パネルに警告表示を行うことが好ましい。
【００１７】
また、本発明の別の態様は、画像が表示される画像表示部を有する回路基板と、当該回路基板上であって画像表示部に設けられた配線パターンと、を含む電気光学パネルを備えた電気光学装置において、配線パターンと電気的に接続された駆動用ＩＣを具備し、当該駆動用ＩＣの内部に、画像表示部の温度を検知するための温度検知部を含む温度補償素子が備えてある電気光学パネルとを備えた電気光学装置である。
すなわち、このように構成することにより、環境温度が多少変化しても、コントラストの変化が少ない画像表示が可能な電気光学装置を効率的に得ることができる。
【００１８】
なお、本発明の電気光学装置を構成するにあたり、電気光学パネルにおいて、温度補償素子が、温度検知部を複数含むとともに、複数の温度検知部によって検知された複数の温度情報に関する数値を平均化した数値に基づいて、駆動用ＩＣからの信号の印加電圧または印加時間、あるいはそれら両方の因子を変化させるための駆動回路を備えることが好ましい。
また、本発明の電気光学装置を構成するにあたり、電気光学パネルに備えた温度検知部が、温度依存性抵抗またはサーミスタを含んでおり、当該温度依存性抵抗またはサーミスタにおける抵抗値の変化によって、画像表示部の温度を検知することが好ましい。
また、本発明の電気光学装置を構成するにあたり、電気光学パネルに備えた温度検知部が、駆動用ＩＣの一つ以上の角部に設けてあることが好ましい。
また、本発明の電気光学装置を構成するにあたり、電気光学パネルに備えた温度検知部によって検知された温度情報をもとに、電気光学パネルに警告表示を行うことが好ましい。
【００１９】
また、本発明のさらに別の態様は、上述した電気光学装置と、当該電気光学装置を制御するための制御手段と、を備えた電子機器である。
すなわち、このように構成することにより、環境温度が多少変化しても、コントラストの変化が少ない画像表示が可能な電気光学装置を含む電子機器を効率的に得ることができる。
【００２０】
【発明の実施の形態】
以下、図面を参照して、本発明の電気光学パネル、電気光学パネルの駆動方法、電気光学装置、および電子機器に関する実施形態について、それぞれ具体的に説明する。ただし、かかる実施形態の説明は、本発明の一態様を示すものであり、この発明を何ら制限的に限定するものではなく、本発明の目的の範囲内で任意に変更することが可能である。
【００２１】
［第１実施形態］
第１実施形態は、図１（ａ）に例示するように、画像が表示される画像表示部１２を有する回路基板１４と、当該回路基板上１４であって画像表示部１２に設けられた配線パターン１５と、を含む電気光学パネル１０であって、フレキシブル回路基板１６上に予め実装してある駆動用ＩＣ１８が、配線パターン１５を介して、電気的に接続してあり、当該駆動用ＩＣ１８の内部には、画像表示部の温度を検知するための温度検知部を含む温度補償素子２０が備えてある電気光学パネル１０である。また、図１（ｂ）に例示するように、温度検知部を含む温度補償素子２０を備えた駆動用ＩＣ１８が、回路基板１４に形成された配線パターン１５に直接的に電気接続された電気光学パネル１０であっても良い。
以下、本発明の第１実施形態の電気光学パネルまたはその駆動方法について、回路基板として、液晶パネルの一部を構成するカラーフィルタ基板を使用し、そのカラーフィルタ基板に対して温度補償機能を有する駆動用ＩＣが、直接的または間接的に搭載されている場合を例にとって説明する。
【００２２】
１．液晶パネルの基本構造
図２に示される液晶パネル２００は、いわゆる反射半透過方式のパッシブマトリクス型構造を有する液晶パネル２００であって、図示しないもののバックライトやフロントライト等の照明装置やケース体などを、必要に応じて、適宜取付けることが好ましい。
また、当該液晶パネル２００は、用途に応じて、パッシブマトリクス型構造のかわりに、反射半透過方式のアクティブマトリクス型構造、例えば、ＴＦＤ（Ｔｈｉｎ  Ｆｉｌｍ  Ｄｉｏｄｅ）やＴＦＴ（Ｔｈｉｎ  Ｆｉｌｍ  Ｔｒａｎｓｉｓｔｏｒ）等のアクティブ素子（能動素子）を用いた液晶パネルであっても良い。
【００２３】
（１）セル構造
図２に示すように、液晶パネル２００は、ガラス板や合成樹脂板等からなる透明な第１の基板２１１を基体とするカラーフィルタ基板２１０と、これに対向して、実質的に同様の構成を有する第２の基板２２１を基体とする対向基板２２０とが、接着剤等のシール材２３０を介して貼り合わせられて構成されていることが好ましい。そして、カラーフィルタ基板２１０と、対向基板２２０とが形成する空間であって、シール材２３０の内側部分に対して、開口部２３０ａを介して液晶材料２３２を注入した後、封止材２３１にて封止されてなるセル構造を備えていることが好ましい。
【００２４】
（２）配線パターン
図２に示すように、第１の基板２１１の内面（第２の基板２２１に対向する表面）上に、並列した複数のストライプ状の透明電極２１６を形成し、第２の基板２２１の内面上には、当該透明電極２１６に直交する方向に並列した、複数のストライプ状の透明電極２２２を形成することが好ましい。また、透明電極２１６を、配線２１８Ａに対して導電接続するとともに、もう一方の透明電極２２２を、配線２２８に対して導電接続することが好ましい。
そして、透明電極２１６と透明電極２２２とは相互に直交するため、その交差領域がマトリクス状に配列された多数の画素を構成し、これら多数の画素の配列が、全体として液晶表示領域Ａを構成することになる。
【００２５】
また、第１の基板２１１は、第２の基板２２１の外形よりも外側に張り出してなる基板張出部２１０Ｔを有し、この基板張出部２１０Ｔ上には、配線２１８Ａ、配線２２８に対して、シール材２３０の一部で構成される上下導通部を介して導電接続された配線２１８Ｂ、および、独立して形成された複数の配線パターンからなる入力端子部２１９が形成されていることが好ましい。
また、基板張出部２１０Ｔ上には、これら配線２１８Ａ、２１８Ｂおよび入力端子部２１９に対して導電接続されるように、液晶駆動回路等を内蔵した半導体素子２６１が実装されていることが好ましい。
さらに、基板張出部２１０Ｔの端部には、入力端子部２１９に導電接続されるように、駆動用ＩＣとしての半導体素子および後述するフレキシブル配線基板２６３が、直接的または間接的に電気接続されていることが好ましい。
【００２６】
（３）温度補償機能を有する駆動用ＩＣ
▲１▼駆動用ＩＣ
液晶パネルを駆動できる半導体素子（ＩＣ）であれば、特にその態様は制限されるものではなく、例えば、その個数についても、図２に示すように、一つであっても、あるいは二つ以上であっても良い。
【００２７】
▲２▼温度補償機能
温度補償機能は、温度検知部を含む駆動用ＩＣ、すなわち、温度補償素子によって、発揮することができる。すなわち、図１に示すように、画像表示部、例えば、ガラス基板に近接した位置に設けてある駆動用ＩＣ内に、温度検知部を含む温度補償回路が備えてあるため、環境温度の影響を受ける画像表示部に対して、十分な温度補償を施すことができる。したがって、画像表示部において、メモリー性液晶等の電気光学材料を用いた場合であっても、環境温度の変化にかかわらず、画像表示において一定のコントラストを得ることができる。
また、駆動用ＩＣ内に、温度検知部を含む温度補償回路が備えてあるため、特定の設置場所や配線方法をとらずに、低コストで、画像表示部に対して十分な温度補償を施すことができる。
【００２８】
また、温度補償機能を発現する上での態様は特に制限されるものではないが、温度補償素子が、温度検知部によって検知された温度情報に基づいて、例えば、図４（ａ）〜（ｃ）に示すように、駆動用ＩＣからの信号の印加電圧（Ｖ）または印加時間（μｓ）、あるいはそれら両方の因子（Ｖ×μｓ）を変化させることが好ましい。
この理由は、このように構成することにより、画像表示部の温度を精度良く検知することができるためである。また、検知された温度情報をもとに、印加電圧または印加時間（パルス幅）を変化させることにより、画像表示のコントラストを容易に制御することができるためである。
【００２９】
なお、温度補償素子が、駆動信号の印加電圧または印加時間を変化させる機構については特に制限されるものでなく、温度補償回路等によって、種々の態様を採ることができる。
例えば、環境温度が低温側に移動した場合には、例えば、３０℃以下になった場合には、図４（ａ）に示すように、高温側の場合と比較して、駆動信号の印加電圧の値を大きくしたり、図４（ｂ）に示すように、駆動信号の印加時間を増加（パルス幅を長く）するように設定したりすることが好ましい。逆に、環境温度が高温側に移動した場合、例えば、３０℃を超えた場合には、低温側の場合と比較して、図４（ａ）に示すように、駆動信号の印加電圧の値を小さくしたり、図４（ｂ）に示すように、駆動信号の印加時間を減少（パルス幅を短く）するように設定したりすることが好ましい。
さらに、図４（ｃ）に示すように、環境温度にしたがって、駆動信号の印加電圧（Ｖ）および印加時間（μｓ）の両方の因子（Ｖ×μｓ）を一定割合で変化させることも好ましい。
【００３０】
また、温度補償機能を発揮するに際して、温度補償素子は、温度検知部を複数含むとともに、複数の温度検知部によって検知された複数の温度情報に関する数値を平均化した数値に基づいて、駆動用ＩＣからの信号の印加電圧または印加時間、あるいはそれら両方の因子を変化させることが好ましい。
この理由は、このように構成することにより、画像表示部の温度に多少のばらつきがあったとしても、温度の平均値をもとに温度補償するため、画像表示全体としては、コントラストをより好適に制御することができるためである。
なお、温度補償素子が、温度情報に関する数値を平均化したり、駆動信号の印加電圧または印加時間、あるいは両方の因子を変化させたりする機構については特に制限されるものでなく、温度補償回路等の種々の態様を採ることができる。
【００３１】
▲３▼温度検知部
また、温度補償機能を発揮するに際して、駆動用ＩＣ内に設けられた温度検知部の態様は特に制限されるものではないが、例えば、温度検知部として温度依存性抵抗、例えば、白金抵抗を含んでおり、当該温度依存性抵抗における抵抗値変化によって、同一基板上の画像表示部の温度を測定することが好ましい。すなわち、金属等の抵抗は、温度とともに直線的に増加するものの、抵抗温度係数はほぼ一定値であるという事象を利用することが好ましい。
この理由は、このように構成することにより、駆動用ＩＣ内における簡易な構成の温度検知部を提供することができるためである。したがって、温度検知部を備えない場合と比較して、駆動用ＩＣの大きさや内部回路配置を大きく変えることが無く、コンパクトな温度検知部を含む温度補償素子を提供することができる。
【００３２】
また、図５に、温度依存性抵抗を含む温度補償回路５０およびその警告回路の一例を示す。
より具体的には、温度依存性抵抗５６の温度特性を利用し、温度依存性抵抗５６および抵抗５７で分圧された第１の電圧Ｖ１と、抵抗５８および抵抗５９で分圧された第２の電圧Ｖ２と、を第１のトランジスタ６１および第２のトランジスタ６２から構成される比較回路６７において比較する。次いで、その出力を電圧Ｖ３として、ＣＰＵ６５に送り、当該ＣＰＵ６５で判断処理して、環境温度が所定温度以上か否かを判断する。そして、所定温度以上であると認識すると、液晶表示装置５２に対して、警告を表示する信号を送るとともに、半導体スイッチ５５をオフにして、液晶表示装置５２に対する通電を停止するように構成されていることが好ましい。
ただし、かかる温度依存性抵抗を含む温度補償回路およびその警告回路は、一例であって、別の種々の態様を採ることができる。
【００３３】
さらに、図５に示す温度補償回路５０における温度依存性抵抗に起因した電圧変化を図６に示す。
より具体的には、第１の電圧Ｖ１は、図６中、環境温度に対応して、比例的に変化し、第２の電圧Ｖ２は、環境温度が変化したとしてもほぼ一定値であって、さらに、ＣＰＵに対する電圧Ｖ３が、環境温度に対応して臨界的に変化することが好ましい。
ただし、これも一例であって、温度依存性抵抗の構成材料を変えたり、形態を変えたりすることにより、種々の態様を採ることができる。
【００３４】
また、温度検知部の別な態様として、温度依存性抵抗として、サーミスタ、例えば遷移金属酸化物の焼結体を含んでおり、当該サーミスタにおける抵抗値の変化によって、画像表示部の温度を測定することが好ましい。すなわち、半導体の抵抗値は、金属と異なり、通常、温度とともに指数関数的に減少するが、その場合であってもサーミスタ定数については、ほぼ一定値であるという事象を利用することが好ましい。
この理由は、このように構成することにより、駆動用ＩＣ内における簡易な構成の温度検知部を提供することができるためである。したがって、温度検知部を備えない場合と比較して、駆動用ＩＣの大きさや内部回路配置を大きく変えることが無く、コンパクトな温度検知部を含む温度補償素子を提供することができる。
【００３５】
また、図７に、サーミスタを含む温度補償回路の例を示す。より具体的には、かかる温度補償回路７０は、温度制御用の制御電圧（Ｖ２）７７を出力する分圧抵抗の一方に、２個のサーミスタ７３、７４の直列接続回路を用い、これらのサーミスタ７３、７４の間から分圧した制御電圧（Ｖ２）７７を取り出して利用する構成であることが好ましい。
すなわち、制御電圧（Ｖ２）７７は、温度によって抵抗変化する２個のサーミスタ７３、７４と、固定抵抗７８との間の分圧によって発生し、環境温度が上昇するにしたがって制御電圧（Ｖ２）７７の値が増大することになる。そして、この変化する制御電圧（Ｖ２）７７を演算増幅器７２に基準電圧として入力することにより、温度補償された増幅出力を得ることができる。
また、かかる温度補償回路７０においては、２個のサーミスタ７３、７４には、それぞれ抵抗７５、７６が並列して設けられているため、それぞれの抵抗変化の誤差についても、相互変化により、平均化を図って調整することができる。
ただし、図７に示す温度補償回路７０は、サーミスタ７３、７４を含む温度補償回路の一例であって、例えば、サーミスタは三つであってもよく、すなわち、別の種々の態様を採ることができる。
【００３６】
さらに、図８に、サーミスタにおける電気抵抗の温度依存性を示す。より具体的には、横軸に温度（℃）を採って示してあり、縦軸にサーミスタにおける電気抵抗（Ω）を採って示してある。そして、図８中のラインＡは、ＰＴＣサーミスタ（Ｐｏｓｉｔｉｖｅ  ｔｅｍｐｅｒａｔｕｒｅ  ｃｏｅｆｆｉｃｉｅｎｔ  ｔｈｅｒｍｉｓｔｏｒ）に対応しており、ラインＢは、ＮＴＣサーミスタ（Ｎｅｇａｔｉｖｅ  ｔｅｍｐｅｒａｔｕｒｅ  ｃｏｅｆｆｉｃｉｅｎｔ  ｔｈｅｒｍｉｓｔｏｒ）に対応しており、ラインＣは、ＣＴＲサーミスタ（Ｃｒｉｔｉｃａｌ  ｔｅｍｐｅｒａｔｕｒｅ  ｒｅｓｉｓｔｏｒ）に対応しており、それぞれ図示するように電気抵抗が温度依存して変化することを特徴としている。
ただし、これらのサーミスタも一例であって、サーミスタの構成材料を変えたり、焼結温度を変えたりすることにより、種々の温度依存性の態様を採ることができる。
【００３７】
また、温度検知部の別な態様として、ｐｎ接合ダイオードにおける電流−電圧特性の温度変化を利用したｐｎ接合温度計や、核４極共鳴に基づいたＮＱＲ（ｎｕｃｌｅａｒ  ｑｕａｄ−ｒｅｐｏｌｅ  ｒｅｓｏｎａｎｃｅ）温度計等が挙げられ、これらについても、好適に用いることができる。
この理由は、このような温度検知部であれば、正確かつ迅速に温度検知ができるとともに、半導体や無機物から構成することができ、駆動用ＩＣ内の微小空間であっても、容易に収容することができるためである。
なお、図９に、ｐｎ接合温度計における、順方向電圧−温度曲線の二例（ＧａＡｓｐｎ接合およびＳｉｐｎ接合、電流値：１００μＡ一定）を示す。また、図１０に、ＮＱＲ温度計における、共鳴周波数−温度曲線の一例（ＫＣｌＯ３）を示す。
それぞれの図から容易に理解できるように、ｐｎ接合温度計や、ＮＱＲ温度計を用いることにより、０℃（２７３Ｋ）以下の低温域から、５０℃（３２３Ｋ）以上の高温域まで、幅広い温度域において、正確に温度検知することが可能である。
【００３８】
また、図１１（ａ）および（ｂ）に示すように、温度補償機能を発揮させるに際して、温度検知部２０ａ、２０ｂが、駆動用ＩＣ１８の一つ以上の角部に設けられていることが好ましい。
この理由は、このように構成することにより、簡易な構成の温度検知部によって、より正確に温度補償を実施することができるためである。すなわち、温度検知部を備えない場合と比較して、駆動用ＩＣの大きさや内部回路配置を大きく変えることが無く、また、温度検知部が駆動用ＩＣの一つ以上の角部に設けられていることから、画像表示手段の温度を、より正確に検知することができるためである。
なお、図１１（ａ）は、駆動用ＩＣ１８が、スルーホール（図示せず）を有するフレキシブル回路基板１６に実装された状態で、回路基板１４に電気接続されている例であり、また、図１１（ｂ）は、駆動用ＩＣ１８が、フレキシブル回路基板１６を介さず、直接的に回路基板１４に電気接続されている例である。また、温度検知部の配置状態として、図１１（ａ）および（ｂ）に示す温度検知部２０ａ、２０ｂは、それぞれ駆動用ＩＣ１８における、液晶表示パネルに近接した二つの角部に設けてあるが、これも一例であって、駆動用ＩＣ１８における３つの角部や４つの角部であってもよく、さらには別の種々の態様を採ることができる。
【００３９】
（４）位相差板および偏光板
液晶パネル２００において、図２に示すように、第１の基板２１１の外面の所定位置に、位相差板（１／４波長板）２４０および偏光板２４１が配置されていることが好ましい。
そして、第２の基板２２１の外面においても、鮮明な画像表示が認識できるように、位相差板（１／４波長板）２５０および偏光板２５１が配置されていることが好ましい。
【００４０】
２．カラーフィルタ基板
（１）基本的構成
カラーフィルタ基板２１０は、図３に示すように、基本的に、ガラス基板２１０と、着色層２１４と、透明電極２１６と、配向膜２１７と、から構成してあることが好ましい。
また、カラーフィルタ基板２１０において、反射機能が必要な場合、例えば、携帯電話等に使用される反射半透過型の液晶表示装置においては、ガラス基板２１０と、着色層２１４との間に、反射層２１２を設けることが好ましい。
さらに、カラーフィルタ基板２１０において、図３に示すように、その表面を平坦化するための表面保護層３１５や、電気絶縁性を向上させるための絶縁層を設けることも好ましい。
【００４１】
（２）反射層
反射型の液晶パネルあるいは反射半透過型の液晶パネルを提供するには、図３に示すように、第１の基板２１１の表面に、反射層２１２を形成することが好ましい。この反射層２１２は、アルミニウム、アルミニウム合金、クロム、クロム合金、銀、銀合金などからなる金属薄膜と、反射基部とから構成することが好ましい。また、反射層２１２には、画素毎に、反射面を有する反射部２１２ｒと、開口部２１２ａとが設けられていることが好ましい。
そして、反射層２１２の上には、画素毎に着色層２１４が形成され、その上をアクリル樹脂やエポキシ樹脂などの透明樹脂からなる表面保護層（オーバーコート層）３１５が被覆していることが好ましい。この着色層２１４と表面保護層３１５とによってカラーフィルタが形成されることになる。
また、反射層は、基材の表面に独立して形成された複数の凸部を有する第１の反射基部と、その上に形成された比較的なだらかな表面状態を有する連続層からなる第２の反射基部と、さらにその上に形成された金属薄膜からなる反射膜と、を含むことが好ましい。
【００４２】
（３）着色層
また、着色層２１４は、通常、透明樹脂中に顔料や染料等の着色材を分散させて所定の色調を呈するものとされている。着色層の色調の一例としては原色系フィルタとしてＲ（赤）、Ｇ（緑）、Ｂ（青）の３色の組合せからなるものがあるが、これに限定されるものではなく、Ｙ（イエロー）、Ｍ（マゼンダ）、Ｃ（シアン）等の補色系や、その他の種々の色調で形成することができる。
また、図３に示すように、画素毎に形成された着色層２１４の間の画素間領域に、黒色遮光膜（ブラックマトリクス或いはブラックマスク）２１４ＢＭが形成してあることが好ましい。
この黒色遮光膜２１４ＢＭとしては、例えば黒色の顔料や染料等の着色材を樹脂その他の基材中に分散させたものや、Ｒ（赤）、Ｇ（緑）、Ｂ（青）の３色の着色材を共に樹脂その他の基材中に分散させたものなどを用いることができる。なお、着色層の配列パターンとして、ストライプ配列や、斜めモザイク配列、あるいは、デルタ配列等の種々のパターン形状を採用することができる。
【００４３】
（５）表面保護層
また、図３に示すように、着色層２１４上に、表面保護層３１５が設けてあることが好ましい。このように表面保護層３１５を設けることにより、着色層２１４自体、ひいては着色層２１４を含むカラーフィルタ基板２１０の耐久性や耐熱性等を著しく向上させることができる。
また、画素毎に、反射層２１２の開口部２１２ａの直上領域（開口部２１２ａと平面的に重なる領域）に、表面保護層３１５の開口部３１５ａが形成されていることが好ましい。この理由は、このように表面保護層３１５を構成することにより、透過光の吸収を効果的に防止し、十分な光量を確保することができるためである。
【００４４】
（６）透明電極および配向膜
図３に示すように、表面保護層３１５の上には、ＩＴＯ（インジウムスズ酸化物）等の透明導電体からなる透明電極２１６を形成することが好ましい。かかる透明電極２１６は、上下方向に伸びる帯状に形成されているが、複数の透明電極２１６が並列したストライプ状に構成されていることが好ましい。
また、透明電極２１６の上には、ポリイミド樹脂等からなる配向膜２１７が形成されていることが好ましい。
この理由は、このように配向膜２１７を設けることにより、カラーフィルタ基板２１０を液晶表示装置等に使用した場合に、液晶材料の電圧駆動を容易に実施することができるためである。
【００４５】
（７）対向基板
また、図３に示すように、カラーフィルタ基板２１０と対向する対向基板２２０は、ガラス等からなる第２の基板２２１上に、第１の基板と同様の透明電極２２２、ＳｉＯ２やＴｉＯ２などからなる硬質保護膜２２３や配向膜２２４を順次積層させたものであることが好ましい。
なお、このカラーフィルタ基板２１０の例では、着色層が第１の基板に設けてあるが、着色層を、かかる対向基板２２０の第２の基板２２１上に設けることも好ましい。
【００４６】
［第２実施形態］
第２実施形態は、電気光学パネルを、電子機器における画像表示装置として用いた場合について具体的に説明する。
【００４７】
（１）電子機器の概要
図１２は、本実施形態の電子機器の全体構成を示す概略構成図である。この電子機器は、液晶パネル２００と、これを制御するための制御手段１２００とを有している。また、図１２中では、液晶パネル２００を、パネル構造体２００Ａと、半導体素子（ＩＣチップ）等で構成される駆動回路２００Ｂと、に概念的に分けて描いてある。また、制御手段１２００は、表示情報出力源１２１０と、表示処理回路１２２０と、電源回路１２３０と、タイミングジェネレータ１２４０とを有することが好ましい。
また、表示情報出力源１２１０は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等からなるメモリーと、磁気記録ディスクや光記録ディスク等からなるストレージユニットと、デジタル画像信号を同調出力する同調回路とを備え、タイミングジェネレータ１２４０によって生成された各種のクロック信号に基づいて、所定フォーマットの画像信号等の形で表示情報を表示情報処理回路１２２０に供給するように構成されていることが好ましい。
【００４８】
また、表示情報処理回路１２２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２００Ｂへ供給することが好ましい。そして、駆動回路２００Ｂは、走査線駆動回路、データ線駆動回路および検査回路を含むことが好ましい。また、電源回路１２３０は、上述の各構成要素にそれぞれ所定の電圧を供給する機能を有している。
そして、本実施形態の電子機器であれば、駆動用ＩＣの内部に、温度検知部を含む温度補償素子が備えてあることから、メモリー性液晶等の電気光学材料を用いた場合であっても、周囲温度にかかわらず、一定のコントラストを有効に得ることができる。
【００４９】
（２）具体例
本発明に係る電気光学装置としての液晶表示装置、有機エレクトロルミネッセンス装置、無機エレクトロルミネッセンス装置等や、プラズマディスプレイ装置、ＦＥＤ（フィールドエミッションディスプレイ）装置、ＬＥＤ（発光ダイオード）表示装置、電気泳動表示装置、薄型のブラウン管、液晶シャッター、デジタルマイクロミラーデバイス（ＤＭＤ）を用いた装置等を適用することが可能な電子機器としては、パーソナルコンピュータや、携帯電話機のほかにも、液晶テレビや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた電子機器などが挙げられる。
【００５０】
さらに、本発明の電気光学装置および電子機器は、上述の図示例にのみ限定されるものではなく、本発明の要旨を逸脱しない範囲内において種々変更を加え得ることは勿論である。例えば、上記各実施形態に示す液晶パネルは単純マトリクス型の構造を備えているが、ＴＦＴ（薄膜トランジスタ）やＴＦＤ（薄膜ダイオード）等のアクティブ素子（能動素子）を用いたアクティブマトリクス方式の電気光学装置にも適用することができる。
【図面の簡単な説明】
【図１】（ａ）および（ｂ）は、第１実施形態における温度検知部を含む温度補償素子が備えてある駆動用ＩＣを電気接続した電気光学パネルを説明するために供する図である。
【図２】液晶パネルの構造を説明するために供する斜視図である。
【図３】液晶パネルの構造を説明するために供する断面図である。
【図４】（ａ）〜（ｃ）は、温度補償素子による駆動信号の印加電圧または印加時間の変化の様子を説明するために供する図である。
【図５】温度依存性抵抗を含む温度補償回路および警告回路を説明するために供する図である。
【図６】温度依存性抵抗を含む温度補償回路および警告回路における電圧変化を説明するために供する図である。
【図７】サーミスタを含む温度補償回路を説明するために供する図である。
【図８】サーミスタにおける電気抵抗の温度依存性を説明するために供する図である。
【図９】ｐｎ接合温度計における、順方向電圧−温度曲線を説明するために供する図である。
【図１０】ＮＱＲ温度計における、共鳴周波数−温度曲線を説明するために供する図である。
【図１１】（ａ）および（ｂ）は、温度検知部の配置例を説明するために供する図である。
【図１２】電子機器の全体構成を示す概略構成図である。
【図１３】従来の電気光学パネルと、フレキシブル基板とからなる電気光学ユニットを説明するために供する図である。
【符号の説明】
１０：電気光学パネル、１２：画像表示部、１４：回路基板、１５：配線パターン、１６：フレキシブル回路基板、１８：駆動用ＩＣ、２０：温度補償素子、２００：液晶パネル、２１０：カラーフィルタ基板、２１１：第１基板、２１２：反射層、２１２ａ：開口部、２１２ｒ：反射部、２１３：凹部、２１４：着色層、２１５ａ：開口部、２１６：透明電極、２２０：対向基板、２２１：第２基板、２２２：透明電極、２６１：駆動用ＩＣ、３１５：表面保護層
【図１】
2004219933.tif 000003
【図２】
2004219933.tif 000004
【図３】
2004219933.tif 000005
【図４】
2004219933.tif 000006
【図５】
2004219933.tif 000007
【図６】
2004219933.tif 000008
【図７】
2004219933.tif 000009
【図８】
2004219933.tif 000010
【図９】
2004219933.tif 000011
【図１０】
2004219933.tif 000012
【図１１】
2004219933.tif 000013
【図１２】
2004219933.tif 000014
【図１３】
2004219933.tif 000015